(57)【要約】【課題】抗菌剤による抗菌効果が充分に発揮でき、吸収性能が低下することがない。【解決手段】吸収体４の肌側に、表面に繊維処理剤１１が付着した繊維１０と、抗菌剤とからなる抗菌性不織布が配設されている。前記抗菌剤が、前記繊維１０中に練り込まれた繊維中抗菌剤１２と、前記繊維処理剤１１に混合された繊維処理剤中抗菌剤１３とから構成される。前記繊維処理剤として親水化剤を用いるのが好ましい。体液の排出に伴って前記抗菌性不織布から溶出する前記抗菌剤の量より、体液排出後に前記抗菌性不織布に残存する前記抗菌剤の量の方が多くなっている。前記抗菌性不織布は、表面シート３、セカンドシート８又は被包シート９の少なくとも一部を構成している。前記繊維中抗菌剤１２は水に対して難溶性の無機系抗菌剤からなり、前記繊維処理剤中抗菌剤１３は水に対して可溶性の有機系抗菌剤からなる。【選択図】図６
2020151340.tif 000002
【特許請求の範囲】
【請求項１】
吸収体を含む吸収性物品において、
前記吸収体の肌側に、表面に繊維処理剤が付着した繊維と、抗菌剤とからなる抗菌性不織布が配設されており、
前記抗菌剤が、前記繊維中に練り込まれた繊維中抗菌剤と、前記繊維処理剤に混合された繊維処理剤中抗菌剤とからなることを特徴とする吸収性物品。
【請求項２】
前記繊維処理剤が親水化剤である請求項１記載の吸収性物品。
【請求項３】
前記吸収体の肌側に着用者の肌面に接触する表面シートが配設され、
前記表面シートの少なくとも一部が前記抗菌性不織布によって構成されている請求項１、２いずれかに記載の吸収性物品。
【請求項４】
前記吸収体の肌側に着用者の肌面に接触する表面シートが配設されるとともに、前記表面シートと吸収体との間にセカンドシートが配設され、
前記セカンドシートの少なくとも一部が前記抗菌性不織布によって構成されている請求項１〜３いずれかに記載の吸収性物品。
【請求項５】
前記吸収体が被包シートによって囲繞され、
少なくとも前記吸収体の肌側に配置された前記被包シートの少なくとも一部が前記抗菌性不織布によって構成されている請求項１〜４いずれかに記載の吸収性物品。
【請求項６】
体液の排出に伴って前記抗菌性不織布から溶出する前記抗菌剤の量より、体液排出後に前記抗菌性不織布に残存する前記抗菌剤の量の方が多い請求項１〜５いずれかに記載の吸収性物品。
【請求項７】
前記繊維中抗菌剤は水に対して難溶性の抗菌剤からなり、前記繊維処理剤中抗菌剤は水に対して可溶性の抗菌剤からなる請求項１〜６いずれかに記載の吸収性物品。
【請求項８】
前記水に対して難溶性の抗菌剤が無機系抗菌剤からなり、前記水に対して可溶性の抗菌剤が有機系抗菌剤からなる請求項７記載の吸収性物品。
【請求項９】
着用者の体液排出部に対応する部位に前記抗菌性不織布が備えられ、それ以外の部位には前記抗菌性不織布が備えられていない請求項１〜８いずれかに記載の吸収性物品。
【発明の詳細な説明】
【技術分野】
【０００１】
本発明は、主には尿とりパッド、失禁パッド、使い捨ておむつ、生理用ナプキン、おりものシート等の吸収性物品に係り、特に抗菌剤を備えた吸収性物品に関する。
【背景技術】
【０００２】
従来より、前記吸収性物品に抗菌剤を備えることによって、尿や経血等の体液中に含まれる細菌の繁殖を抑制して、肌トラブルの低減や悪臭の発生を抑える技術が知られている。前記抗菌剤は、体液との接触によって体液中に含まれる細菌などに対する抗菌効果がはじめて発現されるものであるので、体液が吸収される部分の全体に満遍なく配置するのが望ましい。
【０００３】
吸収性物品に抗菌剤を配置する手段として、吸収体を積繊する際にパルプ繊維とともに粉体状の抗菌剤を混合することにより、吸収体中に分散混入させる技術があるが、粉体状の抗菌剤と接触しない体液に対しては抗菌効果を発現しないため、この方法では抗菌効果が不充分であった。また、別の手段として、吸収体の表面に、液体に溶解させた抗菌剤を噴霧又は塗布する技術があるが、吸収体に液体を塗工することにより体液の吸収性能が悪化するおそれがあった。
【０００４】
一方、下記特許文献１には、吸収体が、第１吸収層と、該第１吸収層の非肌対向面側に位置する第１シートとを有しており、前記第１シートは、肌対向面側から非肌対向面側に向かって凹んだ凹部を複数有しており、複数の前記凹部のそれぞれに、抗菌剤が配されている吸収性物品が開示されている。
【０００５】
また、下記特許文献２には、表面シートの肌側である最表面又は表面シートの吸収体側の面には、抗菌性シートが配置されており、前記抗菌性シートは、親水性繊維層と疎水性繊維層とを含むシート状基材と、前記シート状基材の前記親水性繊維層上に形成され、抗菌性組成物からなる抗菌性組成物層と、を有し、前記抗菌性シートの前記抗菌性組成物層側は、接着剤を介して前記表面シートに貼着されており、前記抗菌性組成物が、常温において固体であり体液に溶解する熱可塑性水溶性ポリマーと、抗菌剤とを含むものである吸収性物品が開示されている。
【先行技術文献】
【特許文献】
【０００６】
【特許文献１】特開２０１８−９９２０３号公報
【特許文献２】特許第５０９６７３６号公報
【発明の概要】
【発明が解決しようとする課題】
【０００７】
上記特許文献１では、凹部を有する第１シートが吸収体に具備されることによって、この吸収体に吸収された体液が、前記第１シートの凹部に沿って吸収体中を速やかに拡散し、前記第１シートの凹部に配された抗菌剤と接触して抗菌効果を発揮するという作用効果が記載されているが、この第１シートの凹部まで到達せず、第１シートの肌側に配置された第１吸収層や表面シート、吸収体を被包する被包シートなどに吸収された体液は抗菌剤と接触せず、抗菌剤の抗菌効果が発現しないため、このような第１吸収層、表面シート、被包シートなどに吸収された体液から悪臭が発生するおそれがあった。
【０００８】
一方、上記特許文献２では、抗菌性シートが、シート状基材に付着された抗菌性組成物における抗菌剤のキャリアとして、体液に溶解する熱可塑性水溶性ポリマーが使用されているため、体液と接することにより熱可塑性水溶性ポリマーが溶解し、その結果、熱可塑性水溶性ポリマー内の抗菌剤が放出されて、抗菌効果を発揮するという作用効果が記載されているが、抗菌性シートから抗菌剤がリリースされて体液とともに流れ出るため、体液排出後は抗菌性シートに抗菌剤がほとんど残らなくなる。このため、肌面に付着した体液や表面シートに吸収された体液から悪臭が発生するおそれがあった。また、熱可塑性水溶性ポリマーと抗菌剤とからなる抗菌性組成物層が、抗菌性シートの親水性繊維層上にスプレー塗工などによって塗工されているため、予め繊維の表面に親水化剤を付着させ親水性を付与したにもかかわらず、この親水化剤の上に更に抗菌性組成物層を上塗りしているため、前記親水化剤による親水性の効果が充分に発揮できず、吸収性能が低下するおそれがあった。
【０００９】
そこで本発明の主たる課題は、抗菌剤による抗菌効果が充分に発揮でき、吸収性能が低下することがない吸収性物品を提供することにある。
【課題を解決するための手段】
【００１０】
上記課題を解決するために請求項１に係る本発明として、吸収体を含む吸収性物品において、
前記吸収体の肌側に、表面に繊維処理剤が付着した繊維と、抗菌剤とからなる抗菌性不織布が配設されており、
前記抗菌剤が、前記繊維中に練り込まれた繊維中抗菌剤と、前記繊維処理剤に混合された繊維処理剤中抗菌剤とからなることを特徴とする吸収性物品が提供される。
【００１１】
上記請求項１記載の発明では、吸収体の肌側に抗菌性不織布が配設されており、この抗菌性不織布に含まれる抗菌剤が、繊維中に練り込まれた繊維中抗菌剤と、繊維処理剤に混合された繊維処理剤中抗菌剤とによって構成されている。このため、体液が排出されることによって、前記抗菌性不織布を体液が通過する際、前記抗菌性不織布を構成する繊維の表面に付着した繊維処理剤とそこに含まれていた繊維処理剤中抗菌剤とが繊維から離脱し、体液に溶解する。この繊維処理剤中抗菌剤が溶解した体液は、吸収体に吸収・保持される。この吸収体に吸収された体液には繊維処理剤中抗菌剤が溶解しているため、この抗菌剤の抗菌効果が発揮されて悪臭を発生することがない。一方、前記繊維中抗菌剤は、繊維の内部に練り込まれることにより担持されているため、繊維中に担持された状態のまま残留し、着用者の肌面に近い位置で抗菌効果を発揮する。また、繊維処理剤中抗菌剤が繊維の表面に付着した繊維処理剤に混合されることによって配されているため、親水性や柔軟性など繊維処理剤としての効果を阻害することなく、吸収性能が悪化することがない。
【００１２】
請求項２に係る本発明として、前記繊維処理剤が親水化剤である請求項１記載の吸収性物品が提供される。
【００１３】
上記請求項２記載の発明では、前記繊維処理剤として親水化剤を用いているため、繊維の親水性を高めることができ、体液に抗菌剤を素早く溶解させることができるようになる。
【００１４】
請求項３に係る本発明として、前記吸収体の肌側に着用者の肌面に接触する表面シートが配設され、
前記表面シートの少なくとも一部が前記抗菌性不織布によって構成されている請求項１、２いずれかに記載の吸収性物品が提供される。
【００１５】
上記請求項３記載の発明では、最も肌側に配設された表面シートを抗菌性不織布によって構成しているため、体液排出時に体液とともに流れ出る繊維処理剤中抗菌剤による抗菌効果が表面シートより吸収体側に配置されたシート材にも行き渡り、抗菌効果が発揮されやすくなるとともに、表面シートの肌側面が常に肌面と接触しているため、体液排出後、肌面に付着した体液などによる悪臭の発生が確実に抑えられるようになる。
【００１６】
請求項４に係る本発明として、前記吸収体の肌側に着用者の肌面に接触する表面シートが配設されるとともに、前記表面シートと吸収体との間にセカンドシートが配設され、
前記セカンドシートの少なくとも一部が前記抗菌性不織布によって構成されている請求項１〜３いずれかに記載の吸収性物品が提供される。
【００１７】
上記請求項４記載の発明では、表面シートと吸収体との間に配設されたセカンドシートを抗菌性不織布によって構成している。
【００１８】
請求項５に係る本発明として、前記吸収体が被包シートによって囲繞され、
少なくとも前記吸収体の肌側に配置された前記被包シートの少なくとも一部が前記抗菌性不織布によって構成されている請求項１〜４いずれかに記載の吸収性物品が提供される。
【００１９】
上記請求項５記載の発明では、吸収体を囲繞する被包シートを抗菌性不織布によって構成している。
【００２０】
請求項６に係る本発明として、体液の排出に伴って前記抗菌性不織布から溶出する前記抗菌剤の量より、体液排出後に前記抗菌性不織布に残存する前記抗菌剤の量の方が多い請求項１〜５いずれかに記載の吸収性物品が提供される。
【００２１】
上記請求項６記載の発明では、体液の排出に伴って前記抗菌性不織布から溶出する前記抗菌剤の量より、体液排出後に前記抗菌性不織布に残存する前記抗菌剤の量の方が多いため、排尿前後のそれぞれの状態で、着用者の肌面の近くに多くの抗菌剤が配置されることとなり、肌面近くでの抗菌効果が維持できるようになる。
【００２２】
請求項７に係る本発明として、前記繊維中抗菌剤は水に対して難溶性の抗菌剤からなり、前記繊維処理剤中抗菌剤は水に対して可溶性の抗菌剤からなる請求項１〜６いずれかに記載の吸収性物品が提供される。
【００２３】
上記請求項７記載の発明では、前記繊維中抗菌剤は、体液に溶出せずに繊維中に残留する必要があるため、水に対して難溶性の抗菌剤を使用するのが好ましく、前記繊維処理剤中抗菌剤は、体液に溶解して体液に混合・拡散する必要があるため、水に対して可溶性の抗菌剤を使用するのが好ましい。
【００２４】
請求項８に係る本発明として、前記水に対して難溶性の抗菌剤が無機系抗菌剤からなり、前記水に対して可溶性の抗菌剤が有機系抗菌剤からなる請求項７記載の吸収性物品が提供される。
【００２５】
上記請求項８記載の発明では、前記水に対して難溶性・可溶性の抗菌剤として具体例を挙げている。
【００２６】
請求項９に係る本発明として、着用者の体液排出部に対応する部位に前記抗菌性不織布が備えられ、それ以外の部位には前記抗菌性不織布が備えられていない請求項１〜８いずれかに記載の吸収性物品が提供される。
【００２７】
上記請求項９記載の発明では、着用者の体液排出部に対応する部位のみに前記抗菌性不織布を設け、それ以外の部位には設けないようにしている。必要な部位のみに抗菌性不織布を設けることによって、抗菌効果が充分に発揮でき、コストを抑えることができる。
【発明の効果】
【００２８】
以上詳説のとおり本発明によれば、抗菌剤による抗菌効果が充分に発揮でき、吸収性能が低下することがない吸収性物品が提供できるようになる。
【図面の簡単な説明】
【００２９】
【図１】本発明に係る尿とりパッド１の一部破断展開図である。
【図２】図１のII−II線矢視図である。
【図３】図１のIII−III線矢視図である。
【図４】繊維１０の断面図である。
【図５】(A)は排尿前、(B)は排尿後の状態を示す、尿とりパッド１の断面図である。
【図６】(A)は排尿前、(B)は排尿後の状態を示す、繊維の断面図である。
【図７】従来の形態を示す、抗菌剤を備えた繊維の断面図である。
【発明を実施するための形態】
【００３０】
以下、本発明の実施の形態について図面を参照しながら詳述する。
【００３１】
〔尿とりパッドの基本構造の一例〕
本発明に係る尿とりパッド１は、図１〜図３に示されるように、ポリエチレンシートなどからなる防漏シート２と、着用者の肌との当接面をなし、尿などを速やかに透過させる表面シート３と、これら両シート２、３間に介装された吸収体４と、尿とりパッド１の最外面（非肌当接面）を覆う外装シート５と、前記吸収体４の略側縁部を起立基端とし、かつ少なくとも着用者の排尿口部を含む前後方向の所定の区間内において肌側に突出する左右一対の立体ギャザーＢＳ、ＢＳを形成するサイド不織布６、６と、必要に応じて前記表面シート３と吸収体４との間に配設されるセカンドシート８とから主に構成され、かつ吸収体４の周囲においては、その上下端縁部では防漏シート２、表面シート３及び外装シート５の外縁部がホットメルトなどの接着剤やヒートシール、超音波シール等の接合手段によって接合され、またその両側縁部では吸収体４よりも側方に延出している防漏シート２、表面シート３、外装シート５及びサイド不織布６がホットメルトなどの接着剤やヒートシール、超音波シール等の接合手段によって接合されている。
【００３２】
以下、さらに前記尿とりパッド１の構造について詳述すると、
前記防漏シート２は、ポリエチレン等の少なくとも遮水性を有するシート材が用いられるが、近年ではムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記防漏シート２としては、プラスチックフィルムと不織布とを積層させたポリラミ不織布を用いてもよい。
【００３３】
次いで、前記表面シート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高で圧縮復元性が高い点で優れている。前記表面シート３に多数の透孔を形成した場合には、体液が速やかに吸収されるようになり、ドライタッチ性に優れたものとなる。不織布の繊維は、長繊維または短繊維のいずれでもよいが、好ましくはタオル地の風合いを出すため短繊維を使用するのがよい。また、エンボス処理を容易とするために、比較的低融点のポリエチレンまたはポリプロピレン等のオレフィン系繊維のものを用いるのがよい。また、融点の高い繊維を芯とし融点の低い繊維を鞘とした芯鞘型繊維やサイド−バイ−サイド型繊維、分割型繊維の複合繊維を好適に用いることもできる。
【００３４】
前記防漏シート２と表面シート３との間に介在される吸収体４は、たとえば綿状パルプと高吸水性ポリマーとにより構成されている。前記高吸水性ポリマーは吸収体４を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００３５】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイド−バイ−サイド型繊維、分割型繊維などの複合繊維も用いることができる。前記合成繊維は、体液に対する親和性を有するように、疎水性繊維の場合には親水化剤によって表面処理したものを用いるのが望ましい。
【００３６】
前記高吸水性ポリマーは、「粒子」以外に「粉体」も含む。高吸水性ポリマーは、この種の吸収性物品に使用される粒径のものをそのまま使用でき、平均粒径が１０００μｍ以下、好ましくは未吸収時の粒径が１０６μｍ以上のものが全体の９９重量％以上、特に１５０〜８５０μｍのものが全体の９９重量％以上であるのが望ましい。未吸収時の平均粒径は２５０〜５００μｍ程度であるのが好ましい。また、高吸水性ポリマーは吸収後の平均粒径が未吸収時の平均粒径の３倍以上、具体的には５００μｍ以上であることが望ましい。なお、未吸収時の高吸水性ポリマーの平均粒径は、重量基準粒度分布における積算値５０％での粒径を意味する。この場合における重量基準粒度分布は、ＪＩＳＺ８８１５−１９９４に準拠して測定される。すなわち、内径１５０ｍｍ、深さ４５ｍｍの７１０μｍ、５００μｍ、３００μｍ、１５０μｍ及び１０６μｍの目開きのふるいを、目開きの狭いふるいを下にして重ね、一番上の最も目開きの広い７１０μｍのふるいの上に、測定試料５０ｇを入れ、ふるい振動機にて１０分間ふるい、各ふるいの上に残った測定試料の重量を測定し、最初の測定試料の重量に基づく各ふるいの上に残った測定試料の重量％を求めることによって測定される。
高吸水性ポリマーの目付け量は、当該吸収体４の用途で要求される吸収量に応じて適宜定めることができる。したがって一概にはいえないが、５０〜３５０ｇ／ｍ２とすることができる。ポリマーの目付け量が５０ｇ／ｍ２未満では、吸収量を確保し難くなる。３５０ｇ／ｍ２を超えると、効果が飽和するばかりでなく、高吸水性ポリマーの過剰によりジャリジャリした違和感を与えるようになる。
【００３７】
前記吸収体４は、パルプおよび高吸水性ポリマーの合計重量に対する高吸水性ポリマーの比率が５〜９０重量％、特に３０〜７０重量％であるのが好ましい。高吸水性ポリマーの比率が５重量％より小さいと、吸水能力が不足するおそれがある。一方、９０重量％より大きいと、高吸水性ポリマーのジャリ感（粒子感）が強く感じられ、使用感が低下する。
【００３８】
前記吸収体４は、形状保持および拡散性向上のために、前記吸収体４の少なくとも肌側面及び非肌側面を、クレープ紙又は不織布などからなる被包シート９で覆うのが好ましい。吸収体４を覆う被包シート９を設ける場合には、結果的に表面シート３と吸収体４との間に被包シート９が介在することになり、前記被包シート９がクレープ紙からなる場合には、吸収性に優れる前記被包シート９によって体液を速やかに拡散させるとともに、吸収体４に吸収した体液の逆戻りを防止するようになる。前記被包シート９によって吸収体４を被包するには、図２及び図３に示されるように、１枚の被包シート９によって吸収体４の両側縁を巻き込むようにして折り返すようにしてもよいし、吸収体４の肌側面と非肌側面とをそれぞれ別体のシートで覆うようにしてもよい。
【００３９】
前記吸収体４の両側部には幅方向内側に膨出する曲線形状からなる脚周りカットライン４ａ、４ａを形成するのが好ましい。前記脚周りカットライン４ａ、４ａを設けることにより、装着時における脚周りへのフィット性が良好となり、体液の漏れが防止できるとともに、ゴワ付き感が軽減して装着感が向上する。前記脚周りカットライン４ａ、４ａの長手方向の位置は任意であるが、図１に示されるように、長手方向の中央部に設けるのが好ましい。また、曲線の形状も任意であり、図示例では、円弧形状に形成されている。
【００４０】
前記外装シート５は、防漏シート２の外面（非肌当接面）を覆って尿とりパッド１の外面を布のような外観、肌触りとするものである。外装シート５としては、不織布で形成するのが好ましい。素材繊維は、ポリエチレンまたはポリプロピレン等のオレフィン系、ポリエステル系、ポリアミド系等の合成繊維の他、レーヨンやキュプラ等の再生繊維、綿等の天然繊維を用いることができ、加工法は、スパンレース法、スパンボンド法、サーマルボンド法、エアスルー法、ニードルパンチ法等を用いて製作することができる。但し、肌触り及び強度を両立できる点でスパンボンド不織布やＳＭＳ不織布、ＳＭＭＳ不織布等の長繊維不織布が好ましい。
【００４１】
前記外装シート５を形成する不織布は一枚で使用する他、複数枚を重ねて使用することもでき、複数枚を重ねて使用する場合は、不織布相互をホットメルト等の接着剤を介して固定するのが好ましい。また、不織布を用いる場合は、その繊維目付けは１０〜５０ｇ／ｍ２、特に１５〜３０ｇ／ｍ２が好ましい。
【００４２】
前記外装シート５の非使用面側（外面）に、１または複数条の仮止め層（図示せず）を形成することにより、身体への装着時に尿とりパッド１を下着や紙おむつ等に固定するようにしてもよい。前記仮止め層としては、機械接合式のフック材を用いてもよいし、粘着剤を用いてもよい。前記仮止め層は必要に応じて設けられ、特段設けなくてもよい。
【００４３】
図示例では、外装シート５は吸収体４の幅よりも若干幅が広い程度とされ、両側部が防漏シート２及び表面シート３の側縁を巻き込むようにして表面シート３の肌側にまで延在され、表面シート３の幅方向外側は、この肌側に延在する外装シート５の外面側に表面シート３の両側部表面から延在するサイド不織布６、具体的には尿等が浸透するのを防止する、あるいは肌触り感を高めるなどの目的に応じて、適宜の撥水処理または親水処理が施された不織布素材を用いて構成されたサイド不織布６が配設されている。かかるサイド不織布６としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を８〜２３ｇ／ｍ２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００４４】
前記サイド不織布６の内方側部分はほぼ二重に折り返されるとともに、この二重シート内部に、その高さ方向中間部に１又は複数本の、図示例では３本の糸状弾性伸縮部材７、７…が両端または長手方向の適宜の位置が固定された状態で配設されている。この二重シート部分は前後端部では図３に示されるように、外側に１回折り返して積層された状態で吸収体４側に接着されることによって、少なくとも着用者の排尿口部を含む前後方向の所定の区間内において図２に示されるように、肌側に起立する立体ギャザーＢＳ、ＢＳが左右対で形成されている。
【００４５】
前記セカンドシート８は、体液に対して親水性を有するものであればよい。具体的には、レーヨンやキュプラ等の再生繊維、綿等の天然繊維を用いることにより素材自体に親水性を有するものを用いるか、ポリエチレンまたはポリプロピレン等のオレフィン系、ポリエステル系、ポリアミド系等の合成繊維を親水化剤によって表面処理し親水性を付与した繊維を用いることができる。また、融点の高い繊維を芯とし融点の低い繊維を鞘とした芯鞘型繊維やサイド−バイ−サイド型繊維、分割型繊維等の複合繊維を用いることができる。不織布を構成する繊維は、長繊維、短繊維、あるいはこれらの混合のいずれも使用できる。セカンドシート８は、エアスルー、エアレイド、スパンボンド等の既知の形態の不織布をいずれも使用できるが、通気性を低下させないとともに、表面シート３にふんわり感、クッション感を与えるエアスルーの使用が好ましい。
【００４６】
〔抗菌性不織布〕
本発明に係る尿とりパッド１では、図４に示されるように、前記吸収体４の肌側に、表面に繊維処理剤１１が付着した繊維１０と、抗菌剤とからなる抗菌性不織布が配設されていることが特徴的である。前記抗菌性不織布は、吸収体４の肌側に配置された部材、具体的には表面シート３、セカンドシート８及び被包シート９の群から選択される１以上の部材の少なくとも一部を構成している。つまり、前記表面シート３、セカンドシート８及び被包シート９のいずれか又はこれらの中から選択される２以上の部材は、少なくとも一部が前記抗菌性不織布によって構成されている。前記被包シート９を前記抗菌性不織布によって構成する場合、少なくとも吸収体４の肌側を覆う被包シート９の少なくとも一部が前記抗菌性不織布であれば、吸収体４の非肌側を覆う被包シート９は前記抗菌性不織布でなくてもよく、クレープ紙や抗菌性を有さない不織布などを用いてもよい。
【００４７】
前記抗菌性不織布は、前記表面シート３、セカンドシート８又は被包シート９の全面を構成するようにしてもよいし、着用者の体液排出部に対応する部位のみを構成し、それ以外の部位には前記抗菌性不織布が備えられないようにしてもよい。後者の場合、前記抗菌性不織布以外の部位は、前記抗菌性不織布が表面シート３又は被包シート９を構成する形態においては、抗菌性を有さない不織布によって形成するのが好ましく、前記抗菌性不織布がセカンドシート８を構成する形態においては、抗菌性を有さない不織布によって形成してもよいし、特段何も配設しなくてもよい。
【００４８】
前記抗菌性不織布に含まれる抗菌剤は、図４に示されるように、繊維１０中に練り込まれた繊維中抗菌剤１２と、前記繊維処理剤１１に混合された繊維処理剤中抗菌剤１３とから構成されている。
【００４９】
前記繊維中抗菌剤１２は、公知の製法に従い、繊維１０の紡糸時に練り込み加工することにより、繊維１０中に含有されている。具体的には、不織布を製造するための原料樹脂に前記繊維中抗菌剤１２を予め混練しておき、この原料樹脂を用いて紡糸した後、不織布を製造する。前記繊維１０の素材としては、合成繊維、半合成繊維、天然繊維のいずれでもよいが、紡糸時に練り込み加工が可能で、かつ親水性に富んだアセテート繊維やレーヨン繊維が好ましい。前記繊維１０に練り込まれている繊維中抗菌剤１２は、その量が繊維１０の重量に対して０．１〜２０重量％であることが、抗菌耐久性及びコストの点から好ましい。
【００５０】
前記繊維処理剤１１を繊維１０の表面に付着させるには、種々の方法によって製造された不織布の構成繊維の表面に常法に従いコーティングすることによって行う。コーティングの方法としては、公知の方法が制限なく採用でき、例えば、カーテンスプレー方式、スロットコート方式、スパイラルスプレー方式、ビート方式、グラビアコート方式、ダイコータ方式などが挙げられる。
【００５１】
前記繊維処理剤１１としては、体液に対する親水性を高める親水化剤や肌との感触性を良好にする柔軟剤など、繊維の性状を改善する目的で使用される公知の処理剤を制限なく用いることができるが、特に本発明に係る尿とりパッド１では、繊維処理剤１１を体液に溶解しやすくするため親水剤を用いるのが好ましい。
【００５２】
前記親水化剤としては、人体への安全性、製造工程での安全性等を考慮して、高級アルコール、高級脂肪酸、アルキルフェノール等のエチレンオキサイドを付加した非イオン系活性剤、アルキルリン酸エステル塩（オクチル、ドデシル系）、アルキル硫酸塩等のアニオン系活性剤等の単独あるいは混合物等が好ましく用いられ、付与量は、要求される性能によって異なるが、通常は対象シートの乾燥重量に対して０．１〜２．０重量％程度、特に０．２〜１．０重量％程度とするのが望ましい。
【００５３】
かかる繊維処理剤１１に前記繊維処理剤中抗菌剤１３を混合するには、常温で固体又は半固体の繊維処理剤１１を加熱してその流動性を高めてから、繊維処理剤中抗菌剤１３を混合する。その後、この混合液を所定の方法でシート材にコーティングする。
【００５４】
前記抗菌剤としては、金、銀、銅、白金、鉄、亜鉛などの無機系抗菌剤、塩化ベンザルコニウム、塩化ベンゼトニウム、塩化セチルピリジニウムなどの有機系抗菌剤などを用いることができる。前記無機系抗菌剤は、有機系抗菌剤と比較して水溶性が低いという性質を有している。
【００５５】
特に、前記繊維１０に練り込む繊維中抗菌剤１２としては、排尿によって溶出しにくく、繊維１０中に留まりやすいように、水に対して難溶性の抗菌剤を用いるのが好ましい。また、前記繊維処理剤１１に混合する繊維処理剤中抗菌剤１３としては、排尿によって溶出しやすく、この尿中に混合・拡散しやすいように、水に対して可溶性の抗菌剤を用いるのが好ましい。前述の水に対して難溶性の抗菌剤とは、水溶性の低い抗菌剤のことであり、具体的には前記無機系抗菌剤を用いるのが好ましい。また、前述の水に対して可溶性の抗菌剤とは、水溶性の高い抗菌剤のことであり、具体的には前記有機系抗菌剤を用いるのが好ましい。
【００５６】
図５及び図６は、排尿前後の状態を示す、それぞれ尿とりパッド１及び繊維の断面の模式図である。図５に示す実施形態例では、表面シート３が抗菌性不織布によって構成されている。排尿によって、抗菌性不織布（表面シート３）を尿が通過する際、抗菌性不織布を構成する繊維１０の表面に付着した繊維処理剤１１とそこに含まれていた繊維処理剤中抗菌剤１３とが繊維１０から離脱し、尿に溶解する。この繊維処理剤中抗菌剤１３が溶解した尿は、セカンドシート８及び被包シート９を浸透して吸収体４に吸収・保持される。これらセカンドシート８、被包シート９及び吸収体４に浸透した尿には繊維処理剤中抗菌剤１３が溶解しているため、抗菌剤の抗菌効果が発揮されて悪臭を発生することがない。一方、前記繊維中抗菌剤１２は、繊維１０の内部に練り込まれることにより担持されているため、繊維１０中に担持されたまま残留し、表面シート３に吸収された体液や着用者の肌面に付着した体液など、着用者の肌面に近い位置に存在する体液に対して抗菌効果を発揮するようになる。このように、繊維処理剤中抗菌剤１３及び繊維中抗菌剤１２がそれぞれ異なった形態で抗菌効果を発揮することにより、排尿による悪臭の発生が確実に抑えられ、抗菌剤による抗菌効果が充分に発揮できるようになる。
【００５７】
これに対して、従来の抗菌剤を備えた吸収性物品では、図７に示されるように、表面に繊維処理剤が付着した繊維の表面に、前記繊維処理剤に抗菌剤が上塗りされるようにしてコーティングされるため、排尿によって、抗菌剤及び繊維処理剤が流れ落ち、表面シートに抗菌剤が残存せず、表面シートに吸収された体液や着用者の肌面に付着した体液などから悪臭が発生するおそれがあった。
【００５８】
また、従来の抗菌剤を備えた吸収性物品では、前述の通り、表面に繊維処理剤が付着した繊維の表面に、前記繊維処理剤に抗菌剤が上塗りされるようにしてコーティングされるため、上塗りされた抗菌剤が繊維処理剤の効果を阻害し、吸収性能を悪化させるおそれがあった。これに対して、本発明に係る尿とりパッド１では、繊維処理剤中抗菌剤１３が繊維１０の表面に付着した繊維処理剤１１に混合されることによって配されているため、繊維処理剤１１の効果を阻害することがなく、吸収性能が悪化することがない。
【００５９】
このような効果を確実に発揮する観点から、排尿に伴って前記抗菌性不織布（表面シート３）から溶出する抗菌剤の量より、排尿後に前記抗菌性不織布に残存する抗菌剤の量の方が多くなるように構成するのが好ましい。これにより、排尿後においても、着用者の肌面の近くに多くの抗菌剤が配置されることとなり、肌面に近い位置での抗菌効果が維持でき、より衛生的となる。このように構成するには、繊維中抗菌剤１２の含有量と繊維処理剤中抗菌剤１３の含有量を適宜調整することにより成すことができる。具体的には、抗菌性不織布の単位体積当たりに含有する繊維中抗菌剤１２の含有量の方が、繊維処理剤中抗菌剤１３の含有量より大きくするのが好ましい。これにより、排尿によって所定の部分の抗菌性不織布から繊維処理剤中抗菌剤１３が溶出しても、溶出した繊維処理剤中抗菌剤１３の量より多い量の繊維中抗菌剤１２が繊維１０中に留まるようになる。
【符号の説明】
【００６０】
１…尿とりパッド、２…防漏シート、３…表面シート、４…吸収体、５…外装シート、６…サイド不織布、７…糸状弾性伸縮部材、８…セカンドシート、９…被包シート、１０…繊維、１１…繊維処理剤、１２…繊維中抗菌剤、１３…繊維処理剤中抗菌剤
【図１】
2020151340.tif 000003
【図２】
2020151340.tif 000004
【図３】
2020151340.tif 000005
【図４】
2020151340.tif 000006
【図５】
2020151340.tif 000007
【図６】
2020151340.tif 000008
【図７】
2020151340.tif 000009